(57)【特許請求の範囲】
【請求項１】
立ち上がり能力測定用椅子であって、
第１の左右の側板と、
前記第１の左右の側板と略並行に配設可能な第２の左右の側板と、
前記第１の左右の側板及び前記第２の左右の側板と略平行に配設可能な第３の左右の側板と、
支持部材が配設された座板と、を備え、
前記第１の左右の側板と前記第３の左右の側板とは、それぞれ、頂部が回動自在に連結され、
前記第２の左右の側板の頂部と、前記第３の左右の側板の頂部より下方の所定位置とは、回動自在に連結され、
前記第１の左右の側板には、該第１の左右の側板の後縁部に沿って第１の左右の係止板が設けられ、該第１の左右の係止板には上下複数段の第１の左右の係止溝が設けられ、該第１の左右の係止溝は、後方に開口して形成されており、
前記第２の左右の側板には、該第２の左右の側板の後縁部に沿って第２の左右の係止板が設けられ、該第２の左右の係止板には上下複数段の第２の左右の係止溝が設けられ、該第２の左右の係止溝は、後方に開口して形成されており、
前記支持部材は、前記座板の下面前部に左右方向に延在して設けられた前部支持棒と、前記座板の下面後部に左右方向に延在して設けられた後部支持棒とを含んで構成され、
前記前部支持棒と前記上下複数段の第１の左右の係止溝とを選択的に嵌合させ、かつ、前記後部支持棒と前記上下複数段の第２の左右の係止溝とを選択的に嵌合させることで、前記座板の高さが、被測定者の体格によらず膝角度が所定角度になるように、調節自在に形成されている
ことを特徴とする立ち上がり能力測定用椅子。
【請求項２】
請求項１に記載の立ち上がり能力測定用椅子を備えた立ち上がり能力評価システムであって、
前記立ち上がり能力評価システムは、さらに、
前記立ち上がり能力測定用椅子で測定された測定値を送信手段に入力する入力手段と、
該入力手段から入力された前記測定値を送信する測定値送信手段と、
該測定値送信手段から送信された測定値を記憶する第１の記憶手段と、
該第１の記憶手段に記憶された測定値に基づいて演算を行う演算手段と、
予め決めた評価値を記憶する第２の記憶手段と、
前記立ち上がり能力測定用椅子で測定された測定値と、前記予め決めた評価値とに基づいて、被測定者の立ち上がり能力を評価する判定手段と
を備えることを特徴とする立ち上がり能力評価システム。
【請求項３】
前記立ち上がり能力測定の測定値は、
被測定者が前記立ち上がり能力測定用椅子に着座した状態から両足で立ち上がれるか、片足で立ち上がれるかに応じて重み付けがされていること
を特徴とする請求項２に記載の立ち上がり能力評価システム。
【請求項４】
前記測定値の重み付けは、
立ち上がり難度の高い着座状態から立ち上がれたと判定されたときの前記測定値を、立ち上がり難度の低い着座状態から立ち上がれたと判定されたときの前記測定値よりも高得点に設定する
ことを特徴とする請求項３に記載の立ち上がり能力評価システム。
【請求項５】
前記評価値は、ロコモ成績値の推定式を含み、
前記ロコモ成績値の推定式は、１００−（前記被測定者の実年齢／３）により算出され、
前記ロコモ成績値は、ロコモの進行度合いを示す指標である
ことを特徴とする請求項２又は請求項３に記載の立ち上がり能力評価システム。
【請求項６】
前記測定値から、ロコモ年齢の推定式を算出し、
前記ロコモ年齢の推定式は、３１０−（３×前記測定値）により算出され、
前記測定値は、複数の前記測定値の中から抽出された最高値であり、
前記ロコモ年齢は、ロコモの進行度合いを示す指標である
ことを特徴とする請求項２乃至請求項５のいずれか１項に記載の立ち上がり能力評価システム。
【発明の詳細な説明】
【技術分野】
【０００１】
この発明は、ロコモティブシンドロームの進行度合いを測定及び評価するための立ち上がり能力測定用の椅子及び立ち上がり能力評価システムに関する。
【背景技術】
【０００２】
人間は、加齢に伴い下肢筋力の衰退や関節の機能衰退、バランス感覚や神経の鈍化などによって、基礎運動機能が衰退する。その衰退の進行度合いが正常な進行度合いよりも早くなると、運動器障害が起こり、生活の自立ができなくなることもあり、その状況を運動器症候群（Locomotive Syndrome；ロコモティブシンドローム。以下「ロコモ」という。）という。人間の基礎運動機能の衰退状況を把握しロコモの発症可能性を知ることは、早期の対策による運動機能の維持、介護の負担の軽減などにとって極めて重要である。
従来、被測定者の立ち上がり能力を測定して下肢筋力の衰退度合いを推定し、将来のロコモになる可能性を判断するロコモ度テストが知られている。このロコモ度テストの概要は、以下の通りである（非特許文献１参照。）。
【０００３】
例えば、接地面からの高さがそれぞれ異なる４種類の着座可能な箱を設ける。ここで、高さが一番高い箱を第１の箱とし、この第１の箱よりも所定値低い高さの箱を第２の箱、第２の箱よりも所定値低い高さの箱を第３の箱、第３の箱よりも所定値低い高さの箱を第４の箱とする。ロコモ度テストの被測定者が、まず、第１の箱において、膝角度が所定角度になるように着座して両足を接地し、両足で立ち上がれるか否かテストする。両足で立ち上がれたと判定されたら、次に、左右いずれかの足のみを接地し、接地した方の足で立ち上がれるか否かをテストする。左右いずれの足でも立ち上がれたと判定されたら、次に第２の箱において、膝角度が前記所定角度になるように着座して両足を接地し、両足で立ち上がれるか否かテストする。両足で立ち上がれたと判定されたら、次に、左右いずれかの足のみを接地し、接地した方の足で立ち上がれるか否かをテストする。左右いずれの足でも立ち上がれたと判定されたら、次に第３の箱において、膝角度が前記所定角度になるように着座して両足を接地し、両足で立ち上がれるか否かテストする。両足で立ち上がれたと判定されたら、次に、左右いずれかの足のみを接地し、接地した方の足で立ち上がれるか否かをテストする。左右いずれの足でも立ち上がれたと判定されたら、最後に第４の箱において、膝角度が前記所定角度になるように着座して両足を接地し、両足で立ち上がれるか否かテストする。両足で立ち上がれたと判定されたら、次に、左右いずれかの足のみを接地し、接地した方の足で立ち上がれるか否かをテストする。このようにしてテストを行い、被測定者の年齢と、左右共に片足で立ち上がることができた一番低い箱の高さと、片足であることを成績値として記録する。
なお、箱が設置される地面、床面等を接地面と定義し、足を接地することは、足を接地面に着けることである。
【０００４】
このようなテストを、予め所定数の被測定者に対して実施し、被測定者の年齢と成績値の平均値との関係表を予め作成しておく。そして、新たな被測定者、つまり、ロコモの進行度合いが不明な被測定者に対して上記のロコモ度テストを行い、そのテスト結果が、同年代の前記平均値に達しているか否かによって、年代相応の脚力を維持しているか、あるいは、このまま改善しなければ将来ロコモになる可能性が高いと判定することで、被測定者のロコモの進行度合いを評価する。なお、平均値とは、被測定者の各年代の５０％以上が実施可能であった高さを示す。
【先行技術文献】
【非特許文献】
【０００５】
【非特許文献１】カゴメ株式会社，“「ロコモ度テスト」”，[online]，[平成26年8月21日検索]，インターネット＜ＵＲＬ：http://www.kagome.co.jp/company/locomo/test/index.html＞
【特許文献】
【０００６】
【特許文献１】特開平０６−０６２９３５号公報
【発明の概要】
【発明が解決しようとする課題】
【０００７】
しかしながら、非特許文献１に記載されたロコモ度テストにおいては、被測定者の体格に拘わらず、最初に必ず第１の箱において膝角度が一定の角度の着座状態にされようと試みられる。実際には、被測定者の体格によっては、膝角度が所定角度に保てない状態が発生する。そのため、第１の箱における立ち上がり能力の成績値が定量的な指標を示すことができず、結果として、ロコモの進行度合いを明らかにすることが困難である。第２〜第４の箱においても、同様である。
【０００８】
また、一般的な椅子で、座板の高さが調節可能なものが、特許文献１に記載されている（段落「００１０」〜「００１７」、図１〜図６参照。）が、この特許文献１に記載の椅子は、座板を前脚のみで支持するので、支持強度が弱いものと推量されるため、幼児用には向いているが、大人用には不向きである。特に、ロコモ度テストは、大人を対象にしているので、前記特許文献１記載の椅子は、ロコモ度テストには不向きである。
【０００９】
そこで本発明は、人間の基礎運動能力の中で最も重要と思われる立ち上がり能力を運動器衰退の評価ファクターとして立ち上がりの姿勢を評価する成績値を定め、被測定者の加齢に伴う基礎運動能力の衰退の進行度合いを定量的に評価するために、高さ調節自在の立ち上がり能力測定用の椅子を提供することを目的とする。
さらに、異なる着座状態からの立ち上がり難易度を示す成績値を定め、測定チャートにしたがって測定することにより、被測定者の加齢に伴う基礎運動能力の衰退の進行度合いを示すロコモ年齢またはロコモ成績値を評価するためのシステムを提供することを目的とする。
【課題を解決するための手段】
【００１０】
上記の目的を達成するために、本発明の立ち上がり能力測定用椅子は、第１の左右の側板と、前記第１の左右の側板と略並行に配設可能な第２の左右の側板と、前記第１の左右の側板及び前記第２の左右の側板と略平行に配設可能な第３の左右の側板と、支持部材が配設された座板と、を備え、前記第１の左右の側板と前記第３の左右の側板とは、それぞれ、頂部が回動自在に連結され、前記第２の左右の側板の頂部と、前記第３の左右の側板の頂部より下方の所定位置とは、回動自在に連結され、前記第１の左右の側板には、該第１の左右の側板の後縁部に沿って第１の左右の係止板が設けられ、該第１の左右の係止板には上下複数段の第１の左右の係止溝が設けられ、該第１の左右の係止溝は、後方に開口して形成されており、前記第２の左右の側板には、該第２の左右の側板の後縁部に沿って第２の左右の係止板が設けられ、該第２の左右の係止板には上下複数段の第２の左右の係止溝が設けられ、該第２の左右の係止溝は、後方に開口して形成されており、前記支持部材は、前記座板の下面前部に左右方向に延在して設けられた前部支持棒と、前記座板の下面後部に左右方向に延在して設けられた後部支持棒とを含んで構成され、前記前部支持棒と前記上下複数段の第１の左右の係止溝とを選択的に嵌合させ、かつ、前記後部支持棒と前記上下複数段の第２の左右の係止溝とを選択的に嵌合させることで、前記座板の高さが、被測定者の体格によらず膝角度が所定角度になるように、調節自在に形成されていることを特徴とする。
【００１１】
また、本発明の立ち上がり能力評価システムは、前記第１の特徴を有する立ち上がり能力測定用椅子を備えた立ち上がり能力評価システムであって、前記立ち上がり能力評価システムは、さらに、前記立ち上がり能力測定用椅子で測定された測定値を送信手段に入力する入力手段と、該入力手段から入力された前記測定値を送信する測定値送信手段と、該測定値送信手段から送信された測定値を記憶する第１の記憶手段と、該第１の記憶手段に記憶された測定値に基づいて演算を行う演算手段と、予め決めた評価値を記憶する第２の記憶手段と、前記立ち上がり能力測定用椅子で測定された測定値と、前記予め決めた評価値とに基づいて、被測定者の立ち上がり能力を評価する判定手段とを備えることを第１の特徴とする。
【００１２】
また、本発明の立ち上がり能力評価システムは、前記第１の特徴において、前記立ち上がり能力測定の測定値は、被測定者が前記立ち上がり能力測定用椅子に着座した状態から両足で立ち上がれるか、片足で立ち上がれるかに応じて重み付けがされていることを第２の特徴とする。
【００１３】
また、本発明の立ち上がり能力評価システムは、前記第２の特徴において、前記測定値の重み付けは、立ち上がり難度の高い着座状態から立ち上がれたと判定されたときに、測定値を高得点に設定することを第３の特徴とする。
【００１４】
また、本発明の立ち上がり能力評価システムは、前記第１の特徴乃至前記第３の特徴のいずれか一の特徴を備えた立ち上がり能力評価システムにおいて、前記評価値は、ロコモ成績値の推定式を含み、前記ロコモ成績値の推定式は、１００−（前記被測定者の実年齢／３）により算出され、前記ロコモ成績値は、ロコモの進行度合いを示す指標であることを第４の特徴とする。
また、本発明の立ち上がり能力評価システムは、前記第１の特徴乃至前記第４の特徴のいずれか一の特徴を備えた立ち上がり能力評価システムにおいて、前記測定値から、ロコモ年齢の推定式を算出し、前記ロコモ年齢の推定式は、３１０−（３×前記測定値）により算出され、前記測定値は、複数の前記測定値の中から抽出された最高値であり、前記ロコモ年齢は、ロコモの進行度合いを示す指標であることを第５の特徴とする。
【発明の効果】
【００１５】
本発明の立ち上がり能力測定用椅子によれば、腰掛け部の座板の高さが自在に調節できるので、被測定者が着座したときの膝角度を被測定者の体格に拘わらず常に一定の角度にすることができる。
また、上記立ち上がり能力測定用椅子を用いた本発明の立ち上がり能力評価システムは、健常者の一般的な年齢とロコモ成績値との関係を平均的な関係式とバラツキ値で示し、これらと、被測定者の実年齢とロコモ成績値から算出されたロコモ年齢とに基づいて、人間の基礎運動能力の衰退の進行度合いをわかりやすく示すことができるという効果を奏する。
さらに、上記立ち上がり能力測定用椅子を用いた本発明の立ち上がり能力評価システムにより、加齢に伴う人の基礎運動能力衰退の進行度合いを示すことと、ロコモ症状の深刻さを評価することができ、ロコモ予防を通して、健康な暮らしを実現し、介護の負担を軽減することができるという効果を奏する。
【図面の簡単な説明】
【００１６】
【図１】本発明の第１実施形態の立ち上がり能力測定用椅子を示す斜視図である。
【図２】本発明の第１実施形態の立ち上がり能力測定用椅子を示す正面図である。
【図３】本発明の第１実施形態の立ち上がり能力測定用椅子を示す右側面図である。
【図４】本発明の第１実施形態の立ち上がり能力測定用椅子の座板の高さ調節操作を説明する右側面図である。
【図５】本発明の第１実施形態の立ち上がり能力測定用椅子の格納状態を説明する右側面図である。
【図６】本発明の第２実施形態の立ち上がり能力評価システムの機能ブロック図である。
【図７】本発明の第２実施形態の立ち上がり能力評価システムにおいて、立ち上がり能力測定用椅子の被測定者の着座状態を説明する図である。
【図８】本発明の第２実施形態の立ち上がり能力評価システムのレベル１の測定チャートを示す図である。
【図９】本発明の第２実施形態の立ち上がり能力評価システムのレベル２の測定チャートを示す図である。
【図１０】本発明の第２実施形態の立ち上がり能力評価システムのレベル３の測定チャートを示す図である。
【図１１】本発明の第２実施形態の立ち上がり能力評価システムのレベル４の測定チャートを示す図である。
【図１２】本発明の第２実施形態の立ち上がり能力評価システムの年齢（年代）とロコモ成績値との関係式を説明する図である。
【図１３】本発明の第２実施形態の立ち上がり能力評価システムの年齢（年代）とロコモ成績値のバラツキを示す図である。
【発明を実施するための形態】
【００１７】
以下、本発明の好ましい実施形態を図面を参照して説明する。
【００１８】
（実施の形態１）
図１は、本発明の第１の実施の形態として椅子を右側から見た斜視図であり、図２は、図１の椅子の正面図、図３は、図１の椅子の右側面図、図４は、図１の椅子の座板の高さ調節を説明する右側面図、図５は、図１の椅子の格納状態を説明する右側面図である。
【００１９】
図示するように、本発明の立ち上がり能力測定用椅子１００は、椅子１００の前部に設けられた第１の左右の側板１Ｌ，１Ｒと、第１の左右の側板１Ｌ，１Ｒと回動自在に連結されて略逆Ｖ字状をなすように椅子１００の後部に設けられた第３の左右の側板３Ｌ，３Ｒと、第１の左右の側板１Ｌ，１Ｒと第３の左右の側板３Ｌ，３Ｒとの間に設けられ、第１の左右の側板１Ｌ，１Ｒと略平行に配設可能な第２の左右の側板２Ｌ，２Ｒと、支持部材が配設された座板４、とを備えている。
座板４の上面にはクッション５が設けられ、座板４とクッション５とで、腰掛け部を構成している。
【００２０】
第１の左の側板１Ｌと第３の左の側板３Ｌとは、それぞれ、第１の左の側板１Ｌの頂部に連接された継ぎ手６Ｌと、第３の左の側板３の頂部に連接された継ぎ手７Ｌとが回動自在に螺設されて、連結されている。つまり、第１の左の側板１Ｌと第３の左の側板３Ｌとは、継ぎ手６Ｌと継ぎ手７Ｌとを介して回動自在に連結されている。同様に、第１の右の側板１Ｒと第３の右の側板３Ｒとは、それぞれ、第１の右の側板１Ｒの頂部に連接された継ぎ手６Ｒと、第３の右の側板３Ｒの頂部に連接された継ぎ手７Ｒとが回動自在に螺設されて、連結されている。つまり、第１の右の側板１Ｒと第３の右の側板３Ｒとは、継ぎ手６Ｒと継ぎ手７Ｒとを介して回動自在に連結されている。
【００２１】
第２の左の側板２Ｌと第３の左の側板３Ｌとは、それぞれ、第２の左の側板２Ｌの頂部に連接された継ぎ手８Ｌと、第３の左の側板３Ｌの頂部より下方の所定位置に連接された継ぎ手９Ｌとが回動自在に螺設されて、連結されている。つまり、第２の左の側板２Ｌと第３の左の側板３Ｌとは、継ぎ手８Ｌと継ぎ手９Ｌとを介して回動自在に連結されている。同様に、第２の右の側板２Ｒと第３の右の側板３Ｒとは、それぞれ、第２の右の側板２Ｒの頂部に連接された継ぎ手８Ｒと、第３の右の側板３Ｒの頂部より下方の所定位置に連接された継ぎ手９Ｒとが回動自在に螺設されて、連結されている。つまり、第２の右の側板２Ｒと第３の右の側板３Ｒとは、継ぎ手８Ｒと継ぎ手９Ｒとを介して回動自在に連結されている。
なお、継ぎ手９Ｌは、継ぎ手８Ｌに連結される部材と第３の左の側板３Ｌに連結される部材とが別体で連結されて構成されているが、一体形成されて構成されてよい。また、継ぎ手９Ｒは、継ぎ手８Ｒに連結される部材と第３の左の側板３Ｒに連結される部材とが別体で連結されて構成されているが、一体形成されて構成されてよい。
【００２２】
図示するように、第１の左の側板１Ｌと第２の左の側板２Ｌとは、略平行に配設可能に構成され、第１の右の側板１Ｒと第２の右の側板２Ｒとは、略平行に配設可能に構成されている。また、第１の左の側板１Ｌと第３の左の側板３Ｌとは、略逆Ｖ字状をなして配設されるように構成されている。同様に、第２の左の側板２Ｌと第３の左の側板３Ｌ、第１の右の側板１Ｒと第３の右の側板３Ｒ、第２の右の側板２Ｒと第３の右の側板３Ｒは、それぞれ、略逆Ｖ字状をなして配設されるように構成されている。
【００２３】
第１の左の側板１Ｌには、後縁部に沿って第１の左の係止板１０Ｌが取り付けられ、この第１の左の係止板１０Ｌには、傾斜Ｌ字形の凹状溝からなる第１の左の係止溝１２Ｌが設けられている。第１の左の係止溝１２Ｌは、後方に開口するように形成され、第１の左の係止板１０Ｌに所定の間隔をおいて上下複数段（図示例では、８段）設けられている。
【００２４】
第１の右の側板１Ｒには、後縁部に沿って第１の右の係止板１０Ｒが取り付けられ、この第１の右の係止板１０Ｒには、傾斜Ｌ字形の凹状溝からなる第１の右の係止溝１２Ｒが設けられている。第１の右の係止溝１２Ｒは、後方に開口するように形成され、第１の右の係止板１０Ｒに所定の間隔をおいて上下複数段（図示例では、８段）設けられている。
【００２５】
第２の左の側板２Ｌには、後縁部に沿って第２の左の係止板１１Ｌが取り付けられ、この第２の左の係止板１１Ｌには、傾斜Ｌ字形の凹状溝からなる第２の左の係止溝１３Ｌが設けられている。第２の左の係止溝１３Ｌは、後方に開口するように形成され、第２の左の係止板１１Ｌに所定の間隔をおいて上下複数段（図示例では、８段）設けられている。
【００２６】
第２の右の側板２Ｒには、後縁部に沿って第２の右の係止板１１Ｒが取り付けられ、この第２の右の係止板１１Ｒには、傾斜Ｌ字形の凹状溝からなる第２の右の係止溝１３Ｒが設けられている。第２の右の係止溝１３Ｒは、後方に開口するように形成され、第２の右の係止板１１Ｒに所定の間隔をおいて上下複数段（図示例では、８段）設けられている。
なお、第１の左の係止板１０Ｌ、第１の右の係止板１０Ｒ、第２の左の係止板１１Ｌ、第２の右の係止板１１Ｒを設けずに、第１の左の係止溝１２Ｌ、第１の右の係止溝１２Ｒ、第２の左の係止溝１３Ｌ、第２の右の係止溝１３Ｒを、それぞれ対応する第１の左の側板１Ｌ、第１の右の側板１Ｒ、第２の左の側板２Ｌ、第２の右の側板２Ｒに形成してもよい。
【００２７】
座板４の下面前部には、左右方向に延在する前部支持棒１４が配設され、座板４の下面後部には、左右方向に延在する後部支持棒１５が配設されている。前部支持棒１４の左端部が、第１の左の係止板１０Ｌに設けられている上下複数の第１の左の係止溝１２Ｌのいずれかと選択的に嵌合可能に構成され、前部支持棒１４の右端部が、第１の右の係止板１０Ｒに設けられている上下複数の第１の右の係止溝１２Ｒのいずれかと選択的に嵌合可能に構成されている。また、後部支持棒１５の左端部が、第２の左の係止板１１Ｌに設けられている上下複数の第２の左の係止溝１３Ｌのいずれかと選択的に嵌合可能に構成され、後部支持棒１５の右端部が、第２の右の係止板１１Ｒに設けられている上下複数の第２の右の係止溝１３Ｒのいずれかと選択的に嵌合可能に構成されている。
【００２８】
前部支持棒１４の両端を、それぞれ、第１の左の係止溝１２Ｌと第１の右の係止溝１２Ｒとに嵌合させ、後部支持棒１５の両端を、第２の左の係止溝１３Ｌと第２の右の係止溝１３Ｒとに嵌合させることで、座板４の接地面からの高さが簡単に調節できるように形成されている。図示例では、接地面からの高さがそれぞれ等しい位置の段に設けられた第１の左の係止溝１２Ｌと第１の右の係止溝１２Ｒと第２の左の係止溝１３Ｌと第２の右の係止溝１３Ｒとが選択されている。
【００２９】
第２の左の側板２Ｌと第２の右の側板２Ｒとは、所定の上下間隔をおいて、それぞれ左右方向に延在する第１の上部連結板１６Ｕと第１の下部連結板１６Ｂとで連結されている。また、第３の左の側板３Ｌと第３の右の側板３Ｒとは、所定の上下間隔をおいて、それぞれ左右方向に延在する第２の上部連結板１７Ｕと第２の下部連結板１７Ｂとで連結されている。
【００３０】
第１の左の側板１Ｌと第２の左の側板２Ｌと第３の左の側板３Ｌとには、それぞれ下端近傍位置に、ピン１８Ｌａ，１８Ｌｂ，１８Ｌｃが設けられ、前後方向に延在する第１の左の連結板１８Ｌには、それぞれのピン１８Ｌａ，１８Ｌｂ，１８Ｌｃに対応する位置に嵌合孔１９Ｌａ，１９Ｌｂ，１９Ｌｃが開孔され、嵌合孔１９Ｌａとピン１８Ｌａ、嵌合孔１９Ｌｂとピン１８Ｌｂ、嵌合孔１９Ｌｃとピン１８Ｌｃをそれぞれ嵌合することで、第１の左の側板１Ｌと第２の左の側板２Ｌと第３の左の側板３Ｌとが第１の左の連結板１８Ｌに連結されて固定されるように構成されている。ピン１８Ｌａ，１８Ｌｂ，１８Ｌｃは、それぞれ、留め具２０Ｌａ，２０Ｌｂ，２０Ｌｃで固着されている。
なお、ピン１８Ｌａ，１８Ｌｂ，１８Ｌｃ，嵌合孔１９Ｌａ，１９Ｌｂ，１９Ｌｃは、接地面からの高さが略等しい位置に設けられている。
【００３１】
また、第１の右の側板１Ｒと第２の右の側板２Ｒと第３の右の側板３Ｒとには、それぞれ下端近傍位置に、ピン１８Ｒａ，１８Ｒｂ，１８Ｒｃが設けられ、前後方向に延在する第１の右の連結板１８Ｒには、それぞれのピン１８Ｒａ，１８Ｒｂ，１８Ｒｃに対応する位置に嵌合孔１９Ｒａ，１９Ｒｂ，１９Ｒｃが開孔され、嵌合孔１９Ｒａとピン１８Ｒａ、嵌合孔１９Ｒｂとピン１８Ｒｂ、嵌合孔１９Ｒｃとピン１８Ｒｃをそれぞれ嵌合することで、第１の右の側板１Ｒと第２の右の側板２Ｒと第３の右の側板３Ｒとが第１の右の連結板１８Ｒに連結されて固定されるように構成されている。ピン１８Ｒａ，１８Ｒｂ，１８Ｒｃは、それぞれ、留め具２０Ｒａ，２０Ｒｂ，２０Ｒｃで固着されている。
なお、ピン１８Ｒａ，１８Ｒｂ，１８Ｒｃ，嵌合孔１９Ｒａ，１９Ｒｂ，１９Ｒｃは、接地面からの高さが略等しい位置に設けられている。左右の全てのピンおよび嵌合孔を同じ高さに設けてもよい。
【００３２】
図４は、上記のように構成された椅子１００の座板４の高さを調節するための操作を説明する図である。
図示するように、例えば、座板４が上から３段目の係止溝の位置に設置されているとする。このとき、座板４の前部支持棒１４の両端が第１の左の係止溝１２Ｌと第１の右の係止溝１２Ｒとに嵌合され、座板４の後部支持棒１５の両端が第２の左の係止溝１３Ｌと第２の右の係止溝１３Ｒとに嵌合されている。そこで、座板４を、僅かに後方に持ち上げることで、前部支持棒１４と後部支持棒１５とが、第１の左の係止溝１２Ｌ、第１の右の係止溝１２Ｒ、第２の左の係止溝１３Ｌ、第２の右の係止溝１３Ｒから容易に脱離することができる。そして、座板４の前部支持棒１４の両端を上から５段目の第１の左の係止溝１２Ｌと第１の右の係止溝１２Ｒとに嵌合させ、座板４の後部支持棒１５の両端を上から５段目の第２の左の係止溝１３Ｌと第２の右の係止溝１３Ｒとに嵌合させることにより、座板４が上から５段目の係止溝の位置に設置される。このように座板の接地面からの高さを容易に調節することができる。また、係止溝が所定の間隔をおいて上下複数段（図示例では、８段。）形成されていることで、着座した被測定者の膝角度が、被測定者の体格によらず所定角度（例えば、９０度。）になるように、座板４の高さを容易に調節することができる。
【００３３】
図５は、椅子１００を格納した状態を示す図である。図示するように、第１の左の連結板１８Ｌを第１の左の側板１Ｌと第２の左の側板２Ｌと第３の左の側板３Ｌとから取り外し、第１の右の連結板１８Ｒを第１の右の側板１Ｒと第２の右の側板２Ｒと第３の右の側板３Ｒとから取り外し、第１の左の側板１Ｌと第３の左の側板３Ｌとを、継ぎ手６Ｌと継ぎ手７Ｌとを介して内側に回動させ、第２の左の側板２Ｌと第３の左の側板３Ｌとを、継ぎ手８Ｌと継ぎ手９Ｌとを介して内側に回動させ、第１の右の側板１Ｒと第３の右の側板３Ｒとを、継ぎ手６Ｒと継ぎ手７Ｒとを介して内側に回動させ、第２の右の側板２Ｒと第３の右の側板３Ｒとを、継ぎ手８Ｒと継ぎ手９Ｒとを介して内側に回動させることで、椅子１００を、容易にコンパクトに格納することができる。
【００３４】
次に、本発明の第２の実施形態について説明する。
図６は、本発明の立ち上がり能力評価システムの機能ブロック図である。本発明の立ち上がり能力システム５００は、立ち上がり能力測定用の椅子１１０と、測定データ（「成績値」、詳細は後述する。）を記憶する第１の記憶手段５１と、予め測定され、被測定者の年齢と成績値との関係をバラツキ値を含め対応付けて記憶した第２の記憶手段５２と、第１の記憶手段５１に記憶された成績値の中から最高の成績値を抽出する演算手段５３と、この抽出された最高の成績値と、第２の記憶手段５２に記憶された年齢と成績値とに基づいてロコモの進行度合いを判定する判定手段５４と、この判定手段５４の判定結果を表示する表示手段５５とを備えている。
【００３５】
椅子１１０は、上記第１の実施形態で説明した立ち上がり能力測定用の椅子１００に測定データ送信手段５０を設けたものである。この測定データ送信手段５０と記憶手段５１とは、データ信号のレベル調整、波形整形、タイミング調整、あるいは、必要であればデータ圧縮等の信号変換を行うインターフェイス手段５６を介して有線接続されているが、無線接続されていてもよい。測定者あるいは被測定者が、所定の測定チャートにしたがって測定して得られた結果を測定データ送信手段５０に入力する。測定結果の測定データ送信手段５０への入力は、テンキー又はキーボード等の入力手段を用いて行ってもよい。このとき、被測定者の年齢データは最初の１回だけ入力すればよいが、測定データ（以下、「成績値」という。）は、通常、複数回入力される。なお、被測定者が着座した椅子１１０から立ち上がれたか否かの判定は、椅子１１０に検知手段を設けて行っても良い。また、インターフェイス手段５６の機能は、測定データ送信手段５０内に組み込まれてもよいし、第１の記憶手段５１内に組み込まれてもよい。
各手段間のデータ通信は、双方向通信を可能とするものでもよく、また、不図示の経路で各手段間を通信可能としてもよい。
【００３６】
第１の記憶手段５１は、インターフェイス手段５６を介して入力された成績値を記憶する。１回の測定で、被測定者の年齢データと、複数の成績値が入力され、記憶される。
なお、測定手順と測定結果とから、測定データ送信手段５０、インターフェイス手段５６、第１の記憶手段５１のいずれかで、測定毎に成績値を算出するように構成してもよい。
【００３７】
演算手段５３は、第１の記憶手段５１の被測定者の年齢と、測定して記憶された複数の成績値のうち、最高の成績値を抽出する。なお、記憶された成績値がすべて同じのときは、いずれかの成績値を最高の成績値として抽出する。
【００３８】
第２の記憶手段５２には、事前に健常者と予想された所定人数の立ち上がり能力測定を行い、バラツキ値を含めた年齢と成績値との関係が、予め決めた評価値として記憶されている。この事前測定を行った結果、実年齢と成績値との平均的な関係を推定式で表すことが可能になる。例えば、本システムでのロコモ成績の実年齢との平均的な関係式を、以下の推定式で定めると、良好な関係式が得られる。
（数１）
ロコモ成績＝１００−実年齢／３・・・式（１）
例えば、被測定者が健常であり、実年齢が３０歳だとすれば、標準的なロコモ成績は約９０点であると推定される。
【００３９】
また、実際の測定、つまり、健常者か否か不明な被測定者の測定で得られた成績値とロコモ年齢との関係は、以下の推定式で表される。
（数２）
ロコモ年齢＝３１０−３×ロコモ成績・・・式（２）
例えば、健常者か否か不明な被測定者の成績値、つまり、ロコモ成績が９０点であったとすれば、ロコモ年齢は、平均値で４０歳であると推定する。被測定者が４０歳であれば、健常者と推定されるが、被測定者が２０歳であれば、ロコモの進行度合いがやや進んでおり適切なロコモ対策（健康管理、リハビリ等。）が必要だと判定する。
【００４０】
なお、この式（２）でのロコモ成績は、実際の測定で得られた成績値の最高値である。
上記の二つの式は、ロコモの進行度合いを表す指標であり、図１２は、年齢とロコモ成績との関係を示した図であり、図１３は、年齢と成績のバラツキ値を示した図である。この図１３は、単に測定データのバラツキを示すのではなく、年齢によって、ロコモの進行度合いにバラツキがあることを示す。図１３は、加齢と共にバラツキが増大すること、７０歳代以降での運動機能に格差があることを示唆している。実際の測定・評価の際には、測定で得られた複数の成績値の中の最高値が、式（１）と、式（２）と、図１３に示すバラツキ値とを顧慮して、ロコモの進行度合いが判定される。
【００４１】
判定手段５４は、演算手段５３で抽出された最高値の成績値と、第２の記憶手段５２に記憶された評価値とに基づいて、その時のロコモ年齢を推定し、ロコモに対する対応を判定する。
表示手段５５は、判定手段５４で判定された結果を表示する。
第２の記憶手段５２への入力は、椅子１１０に設けられた測定データ送信手段５０から、インターフェイス手段５６、第１の記憶手段５１、演算手段５４を介して、行われてもよい。
なお、第１の記憶手段５１と第２の記憶手段５２とは必ずしも別体で構成する必要はなく、第１の記憶手段５１に対応する第１の記憶領域と、第２の記憶手段５２に対応する第２の記憶領域を備えた１つの記憶手段で構成してもよい。
また、上記の各手段は、当業者に広く知られているコンピュータ等の電子機器で容易に実現することができるので、具体的な内部構成については、説明を省略する。
【００４２】
次に、立ち上がり能力の測定例およびロコモの進行度合いの評価例を、図７に示す着座状態と、図８〜図１１に示す測定チャートと、５つの測定パターン例を用いて説明する。
【００４３】
（測定パターン例１）
まず、レベル１のテストを行う（図８参照。）。被測定者が椅子１１０に両足を接地して着座したとき、膝角度が略９０度になるように椅子１１０の座板４の高さを調節する（図７（ａ）参照。）。下腿部（足の膝から足首までの部分。）は、当然、接地面に略垂直となる。座板４の高さの調節方法の説明は、段落「００２９」、図４等で説明したので省略する。このときの座板４の接地面からの高さＨｓを基準高さＨ（単位は、「ｃｍ」である。）とする（図８の[Hs=H，Double leg]参照。）。この着座状態から、被測定者が両足で立ち上がれたとき(yes)は、次に、左右いずれかの足で立ち上がれるか否かテストする。左足(図８の[Left leg]参照。)で立ち上がれたと判定された(yes)ときの成績値を80点とし、測定データ送信手段５０から第１の記憶手段５１に送信して記憶させる。このとき、被測定者の実年齢も、測定データ送信手段５０から第１の記憶手段５１に送信して記憶させる。同一被測定者が繰り返し測定を行うときは、実年齢の記憶操作は１回でもよい。また、右足(図８の[Right leg]参照。)で立ち上がれたと判定された(yes)ときの成績値を80点とし、測定データ送信手段５０から第１の記憶手段５１に送信して記憶させる。以下、成績値の記憶操作は、成績値の値が異なるだけであるので、操作説明を省略する。
【００４４】
図８の測定チャートに従い、レベル２のテスト（図９参照。）へ移行する。レベル２のテストでは、被測定者が椅子１１０に両足を接地して着座したとき、椅子１１０の座板４の高さＨｓが０．７５Ｈになるように調節する（図７（ｂ）参照。）。下腿部が接地面に略垂直なるように着座する(図９の[Hs=0.75H，Double leg] 参照。)。この着座状態から、被測定者が両足で立ち上がれたと判定された(yes)ときは、次に、左右いずれかの足で立ち上がれるか否かテストする。左足(図９の[Left leg] 参照。)で立ち上がれたと判定された(yes)ときの成績値を90点とし、右足(図９の[Right leg] 参照。)で立ち上がれたと判定された(yes)ときの成績値を90点とし、図９の測定チャートに従い、レベル３のテスト（図１０参照。）に移行する。
【００４５】
レベル３のテストでは、被測定者が椅子１１０に両足を接地して着座したとき、椅子１１０の座板４の高さＨｓが０．５Ｈになるように調節する（図７（ｃ）参照。）。下腿部は接地面に略垂直なるように着座する(図１０の[Hs=0.5H，Double leg] 参照。)。この着座状態から、被測定者が両足で立ち上がれたと判定された(yes)ときは、次に、左右いずれかの足で立ち上がれるか否かテストする。左足(図１０の[Left leg] 参照。)で立ち上がれたと判定された(yes)ときの成績値を100点とし、右足(図１０の[Right leg]参照。)で立ち上がれたと判定された(yes)ときの成績値を100点とし、図１０の測定チャートに従い、テストを終了する。
【００４６】
ここで、人体の特性（下肢筋力、関節機能、バランス感覚、神経機能等）から、両足で立ち上がるよりも、片足で立ち上がる方が、立ち上がり難度が高い。また、足を後方に引いた着座状態（図７（ｄ）参照。）から立ち上がるよりも、下腿部が接地面に略垂直な着座状態（図７（ｃ）参照。）から立ち上がる方が、立ち上がり難度が高い。本発明では、立ち上がり難度が高くなるほど、成績値が高得点になるように設定されている。具体的には、レベル１，２，３において、対応関係にある立ち上がり難度が上位レベルの成績値は、立ち上がり難度が下位レベルの成績値よりも１０点高く設定されている。また、より高い点数の成績値を得られるように、測定の順序は適宜変更されてよい。
なお、図７（ｄ）は、座板４の高さＨｓが基準高さＨの半分の高さ（Ｈｓ＝０．５Ｈ。）の場合について、足を後方に引いた着座状態を示しているが、座板４の高さが異なっても、足を後方に引く状態は、図７（ｄ）を参照することで理解できる。
【００４７】
また、本発明では、各レベルの測定チャートにしたがって測定して得られた複数の成績値のうち、最高値の成績値を抽出して、その被測定者のロコモ進行度合いを判定している。これは、例えば、片足で立ち上がれなくても、両足で立ち上がることができれば、基礎運動能力の評価を高くするように、つまり、ロコモの進行度合いが低くなるように設定されている。
【００４８】
テストが終了した時点で、第１の記憶手段５１には、被測定者の実年齢と、対応する６つの成績値80点，80点、90点、90点、100点、100点が記憶されている。そして、演算手段は、この6つの成績値の中から最高の成績値を抽出する。この測定パターン例１では、成績値100点が抽出されて記憶される。
【００４９】
次に、判定手段５４は、演算手段５３で抽出して記憶されている成績値100点と、第２の記憶手段５２に記憶されている評価値に基づいて、被測定者のロコモ年齢を推定する。ここで、成績値が100点の場合、ロコモ年齢は、式（２）に基づき約10歳と推定される。また、被測定者が30歳であった場合、式（１）から３０代の健常者のロコモ成績値の平均値は９０点であることが推定される。本発明の特徴は、推定されたロコモ年齢とロコモ成績値とを指標として、ロコモの進行度合いを評価することである。つまり、バラツキも考慮し、推定されたロコモ年齢10歳と、健常な３０代のロコモ成績値が９０点と推定されることに基づいて、被測定者がロコモの進行度合いに全く異常がないと評価するのである。そして、表示手段５５でロコモ進行度合いに異常がないことを表示させる。
【００５０】
（測定パターン例２）
測定パターン例２について説明する。
まず、測定パターン例１と同様に、レベル１のテストを行う（図８参照。）。測定結果は測定パターン例１の場合と同じとする。図８の測定チャートに従い、レベル２のテスト（図９参照。）へ移行する。レベル２の測定結果も測定パターン例１と同じとする。図９の測定チャートに従い、レベル３のテスト（図１０参照。）に移行する。
【００５１】
レベル３のテストでは、被測定者が椅子１１０に両足を接地して着座したとき、椅子１１０の座板４の高さＨｓが０．５Ｈになるように調節する（図７（ｃ）参照。）。下腿部は接地面に略垂直なるように着座する(図１０の[Hs=0.5H，Double leg] 参照。)。その着座状態から、被測定者が両足で立ち上がれたと判定された(yes)ときは、左右いずれかの足で立ち上がれるか否かテストする。このとき、下腿部は接地面に対し略垂直である。左足(図１０の[Left leg] 参照。)で立ち上がれなかったと判定された(No)ときは、図７（ｄ）に示すように、左足を立ち上がりやすい位置まで後方に引き、その着座状態から立ち上がれるか否かテストする(図１０の[L.B Left leg] 参照。)。その着座状態から立ち上がれたと判定された(yes)ときの成績値を90点とし、次に、左足を元に戻す。このとき、両下腿部は接地面に対し略垂直である。右足(図１０の[Right leg] 参照。)で立ち上がれなかったと判定された(No)ときは、図７（ｄ）に示すように、右足を立ち上がりやすい位置まで後方に引き、(図１０の[L.B Right leg] 参照。)、その着座状態で立ち上がれたと判定された(yes)ときの成績値を90点とし、図１０の測定チャートに従い、テストを終了する。
【００５２】
テストが終了した時点で、第１の記憶手段５１には、被測定者の実年齢と、対応する６つの成績値80点，80点、90点、90点、90点、90点が記憶されている。そして、演算手段５３は、この6つの成績値の中から最高の成績値を抽出して記憶する。この測定パターン例２では、成績値90点が抽出されて記憶されている。
【００５３】
次に、判定手段５４は、演算手段５３で抽出して記憶されている成績値90点と、第２の記憶手段５２に記憶されている評価値とに基づいて、被測定者のロコモ年齢を推定する。ここで、式（１）からロコモ年齢は40歳と推定される。ここで、式（２）とバラツキ値から健常者20歳の平均的なロコモ成績値は約９３点と推定され、健常者40歳の平均的なロコモ成績は約８７点と推定され、健常者60歳の平均的なロコモ成績は約８０点と推定される。これらを総合的に評価し、例えば、被測定者の実年齢が20歳であれば、ロコモの進行度合いがやや進んでおり適切なロコモ対策（健康管理、リハビリ等。）が必要だと判定し、被測定者の実年齢が40歳であれば、ロコモの進行度合いが、ほぼ年齢通りの進行であり正常と判定し、被測定者の実年齢が60歳であれば、ロコモの進行度合いに全く異常がないと判定する。そして、表示手段２５でロコモ進行度合いの判定結果を表示させる。
【００５４】
（測定パターン例３）
次に、測定パターン例３について説明する。
まず、レベル１のテストを行う。着座状態（図８の[Hs=H，Double leg] 参照。）から、被測定者が両足で立ち上がれたと判定された(yes)ときは、左右いずれかの足で立ち上がれるか否かテストする。左足(図８の[Left leg] 参照。)で立ち上がれなかったと判定された(No)とき、図７（ｄ）に示すように、左足を立ち上がりやすい位置まで後方に引き(図８の[L.B Left leg] 参照。)、その着座状態から立ち上がれなかったと判定された(No)ときは、成績値を50点とする。また、右足(図８の[Right leg] 参照。)で立ち上がれなかったと判定された(No)とき、図７（ｄ）に示すように、右足を立ち上がりやすい位置まで後方に引き(図８の[L.B Right leg] 参照。)、その着座状態から立ち上がれなかったと判定された(No)ときは、成績値を50点とする。図８の測定チャートに従い、レベル２のテスト（図９参照。）に移行する。
【００５５】
図９に示すレベル２のテストにおいて、着座状態(図９の[Hs=0.75H，Double leg] 参照。)から、被測定者が両足で立ち上がれたと判定された(yes)ときは、左右いずれかの足で立ち上がれるか否かテストする。左足(図９の[Left leg] 参照。)で立ち上がれなかったと判定された(No)とき、図７（ｄ）に示すように、左足を立ち上がりやすい位置まで後方に引き(図９の[L.B Left leg] 参照。)、その着座状態から立ち上がれなかったと判定された(No)ときは、成績値を60点とする。また、右足(図９の[Right leg] 参照。)で立ち上がれなかったと判定された(No)とき、図７（ｄ）に示すように、右足を立ち上がりやすい位置まで後方に引き(図９の[L.B Right leg] 参照。)、その着座状態から立ち上がれなかったと判定された(No)ときは、成績値を60点とする。図９の測定チャートに従い、レベル３のテスト（図１０参照。）に移行する。
【００５６】
レベル３のテストでは、被測定者が椅子１１０に両足を接地して着座したとき、椅子１１０の座板４の高さＨｓが０．５Ｈになるように調節する（図７（ｃ）参照。）。下腿部は接地面に略垂直なるように着座する(図１０の[Hs=0.5H，Double leg] 参照。)。その着座状態から、被測定者が両足で立ち上がれなかったと判定された(No)ときは、図７（ｄ）に示すように、両足を立ち上がりやすい位置まで後方に引いた着座状態から立ち上がれるか否かテストする。その着座状態から立ち上がれたと判定された(yes)ときは、左右いずれかの足を立ち上がりやすい位置まで後方に引いた着座状態から立ち上がれるか否かテストする。左足を後方に引いた着座状態(図１０の[L.B Left leg] 参照。)から立ち上がれなかったと判定された(No)ときは成績値を65点とし、次に、左足を元に戻し、右足を後方に引き(図１０の[L.B Right leg] 参照。)、その着座状態から立ち上がれなかったと判定された(No)ときは成績値を65点とし、図１０の測定チャートに従い、テストを終了する。
【００５７】
テストが終了した時点で、第１の記憶手段５１には、被測定者の実年齢と、対応する６つの成績値50点，50点、60点、60点、65点、65点が記憶されている。そして、演算手段５１は、この6つの成績値の中から最高の成績値を抽出して記憶する。この測定パターン例３では、成績値65点が抽出されて記憶されている。
【００５８】
次に、判定手段５４は、演算手段５３で抽出して記憶されている成績値65点に基づいて、被測定者のロコモ年齢を式（２）及びバラツキ値から推定すると、ロコモ年齢は115歳と推定される。これは、被測定者のロコモの進行度合いが異常に進行していることを示し、適切なロコモ対策（健康管理、リハビリ等。）が緊急に必要なことを示す。そして、表示手段５５でロコモの進行度合いが異常に進行しており、適切なロコモ対策（健康管理、リハビリ等。）が緊急に必要という判定結果を表示させる。
【００５９】
（測定パターン例４）
測定パターン例４について説明する。
まず、測定パターン例１と同様に、レベル１のテストを行う。着座状態（図８の[  Hs=H，Double leg] 参照。）から、被測定者が両足で立ち上がれなかったと判定された(No)ときは、図７（ｄ）に示すように、両足を立ち上がりやすい位置まで後方に引いた着座状態から立ち上がれるか否かテストする。両足を後方に引いた着座状態(図８の[L.B Double leg] 参照。)から立ち上がれたと判定された(yes)ときは、左右いずれかの足を立ち上がりやすい位置まで後方に引いた着座状態から立ち上がれるか否かテストする。左足を後方に引いた着座状態(図８の[L.B Left leg] 参照。)から立ち上がれたと判定された(yes)ときの成績値を70点とし、右足を後方に引いた着座状態(図８の[L.B Right leg] 参照。)から立ち上がれたと判定された(yes)ときの成績値を70と点し、図８の測定チャートに従い、レベル２（図９参照。）の座板４の高さを低くして(図９の[Hs=0.75H，Double leg] 参照。)、両足を立ち上がりやすい位置まで後方に引いた着座状態(図８の[L.B Double leg] 参照。)から立ち上がれるか否かテストする。
【００６０】
レベル２で両足を後方に引いた着座状態(図９の[L.B Double leg] 参照。)から立ち上がれた(yes)ときは、左右いずれかの足を立ち上がりやすい位置まで後方に引いた着座状態から立ち上がれるか否かテストする。左足を後方に引いた着座状態(図９の[L.B Left leg] 参照。)から立ち上がれなかったと判定された(No)ときの成績値を55点とし、右足を後方に引いた着座状態(図９の[L.B Right leg] 参照。)から立ち上がれなかったと判定された(No)ときの成績値を55点とし、図９の測定チャートに従い、レベル３（図１０参照。）のテストに移行  する。
【００６１】
レベル３のテストでは、被測定者が椅子１１０に両足を接地して着座したとき、椅子１１０の座板４の高さＨｓが０．５Ｈになるように調節する（図７（ｃ）参照。）。下腿部は接地面に略垂直なるように着座する(図１０の[Hs=0.5H，Double leg] 参照。)。その着座状態から立ち上がれなかったと判定された(No)ときは、両足を立ち上がりやすい位置まで後方に引いた着座状態から立ち上がれるか否かテストする。その着座状態から立ち上がれたと判定された(yes)ときは、左右いずれかの足を立ち上がりやすい位置まで後方に引いた着座状態から立ち上がれるか否かテストする。左足を後方に引いた着座状態(図１０の[L.B Left leg] 参照。)から立ち上がれなかったと判定された(No)ときは成績値を65点とし、次に、左足を元に戻し、右足を後方に引き(図１０の[L.B Right leg] 参照。)、その着座状態から立ち上がれなかったと判定された(No)ときは成績値を65点とし、図１０の測定チャートに従い、テストを終了する。
【００６２】
テストが終了した時点で、第１の記憶手段５１には、被測定者の実年齢と、対応する６つの成績値70点，70点、55点、55点、65点、65点が記憶されている。そして、演算手段５３は、この6つの成績値の中から最高の成績値を抽出して記憶する。この測定パターン例４では、成績値70点が抽出されて記憶されている。
【００６３】
次に、判定手段５４は、演算手段５３で抽出して記憶されている成績値70点を、式（２）とバラツキ値から、被測定者のロコモ年齢を推定する。ここで、式（２）に成績値70を代入すれば、ロコモ年齢100歳ということになる。これは、バラツキ値を考慮しても、被測定者のロコモの進行度合いが異常に進行していることを示し、適切なロコモ対策（健康管理、リハビリ等。）が緊急に必要なことを示す。そして、表示手段５５でロコモの進行度合いが異常に進行しており、適切なロコモ対策（健康管理、リハビリ等。）が緊急に必要という判定結果を表示させる。
【００６４】
（測定パターン例５）
次に、測定パターン例５について説明する。
まず、レベル１のテストを行う。着座状態（図８[Hs=H，Double leg] 参照。）から、被測定者が両足で立ち上がれなかったと判定されたとき(No)は、両足を立ち上がりやすい位置まで後方に引いた着座状態から立ち上がれるか否かテストする。両足を後方に引いた着座状態でも立ち上がれなかったと判定されたとき(No)ときは、図８の測定チャートに従い、レベル４のテストに移行するか、あるいは、テストを終了する。
【００６５】
このような状態は、被測定者に身体的な障害があるか、あるいは、ロコモの進行度合いが極度に進んでいるものと推定され、被測定者の立ち上がり能力は、健常者に比べ著しく劣っているものと判断されるから、被測定者に身体的な障害がある場合は、レベル４に進み、成績値を全体的に低くした状態で測定して判定する。また、ロコモの進行度合いが極度に進んでいるものと推定される被測定者は、測定を中止し、適切なロコモ対策（健康管理、リハビリ等。）が緊急に必要であることを表示する。
【００６６】
以上、５つの測定パターンを例示したが、図８〜図１１に示す測定チャートに従えば、他の測定パターンについても、当業者であれば容易に理解できる。
成績値は、本実施の形態に示した数値に限定されるものではなく、必要に応じて適宜、数値を変更できる。
【００６７】
なお、例えば、測定パターン例３において、被測定者は、レベル１のテストで、いずれの片足(図８の[Left leg]/[Right leg] 参照。)でも立ち上がれなかったと判定(No)されているので、レベル２のテストで片足で立ち上がれたと判定(yes)されることは、現実的に殆ど起こりえない。なぜならば、レベル２のテストの座板の高さ(Hs=0.75H)の方が、レベル１のテストの座板の高さ(Hs=H)よりも低いために、レベル２のテストの方がレベル１のテストよりも、立ち上がり難度が高いからである。このようなことは、当業者であれば、容易に理解できるであろう。
【符号の説明】
【００６８】
１００，１１０  立ち上がり能力測定用椅子
５００  立ち上がり能力評価システム
１Ｌ  第１の左の側板、１Ｒ  第１の右の側板
２Ｌ  第２の左の側板、２Ｒ  第２の右の側板
３Ｌ  第３の左の側板、３Ｒ  第３の右の側板
４  座板、  ５  クッション
６Ｌ，６Ｒ，７Ｌ，７Ｒ，８Ｌ，８Ｒ，９Ｌ，９Ｒ  継手
１０Ｌ  第１の左の係止板、１０Ｒ  第１の右の係止板
１１Ｌ  第２の左の係止板、１１Ｒ  第２の右の係止板
１２Ｌ  第１の左の係止溝、１２Ｒ  第１の右の係止溝
１３Ｌ  第２の左の係止溝、１３Ｒ  第２の右の係止溝
１４  前部支持棒、１５  後部支持棒
１６Ｕ  第１の上部連結板、１６Ｂ  第１の下部連結板
１７Ｕ  第２の上部連結板、１７Ｂ  第２下部の連結板
１８Ｌ  第１の左の連結板、１８Ｒ  第１の右の連結板
１８Ｌａ，１８Ｌｂ，１８Ｌｃ，１８Ｒａ，１８Ｒｂ，１８Ｒｃ  ピン
１９Ｌａ，１９Ｌｂ，１９Ｌｃ，１９Ｒａ，１９Ｒｂ，１９Ｒｃ  嵌合孔
２０Ｌａ，２０Ｌｂ，２０Ｌｃ，２０Ｒａ，２０Ｒｂ，２０Ｒｃ  留め具
５０  測定データ送信手段、５１  第１の記憶手段、５２  第２の記憶手段
５３  演算手段、５４  判定手段、５５  表示手段、５６  インターフェイス手段
【図１】
0006493781.tif 000002
【図２】
0006493781.tif 000003
【図３】
0006493781.tif 000004
【図４】
0006493781.tif 000005
【図５】
0006493781.tif 000006
【図６】
0006493781.tif 000007
【図７】
0006493781.tif 000008
【図８】
0006493781.tif 000009
【図９】
0006493781.tif 000010
【図１０】
0006493781.tif 000011
【図１１】
0006493781.tif 000012
【図１２】
0006493781.tif 000013
【図１３】
0006493781.tif 000014